(57)【要約】【課題】整風カプセルが取り付けられたエレベータで、保守、調整、改修作業の際に、それらの作業性を向上させ、かつ、作業の際の周囲への障害の無いエレベータを提供すること。【解決手段】エレベータの上部整風カプセル１４および下部整風カプセル１５を、かご室６ａから分離した際に係止手段２１、２２、３５により昇降路１の内部に係止させる。【選択図】　図３
2004067292.tif 000002
【特許請求の範囲】
【請求項１】
ガイドレールに案内されて昇降路内を昇降するかごと、このかごの上部に該かごの上部全体を覆うように設けられている上部整風カプセルと、前記かごの下部に該かごの下部全体を覆うように設けられている下部整風カプセルと、前記上部整風カプセルおよび下部整風カプセルを前記かごから分離した際に昇降路の内部に係止する係止手段とを有することを特徴とするエレベータ。
【請求項２】
前記係止手段は、前記昇降路の天井から吊り下げられた先端に第１の係止部が形成されたメインロープと、前記上部整風カプセルに設けられ前記第１の係止部に着脱自在に係止する第２の係止部が相互に係止することにより形成されていることを特徴とする請求項１記載のエレベータ。
【請求項３】
前記第２の係止部は、該第２の係止部を固定している固定部に対して可倒式に形成されていることを特徴とする請求項２記載のエレベータ。
【請求項４】
前記第１の係止部および前記第２の係止部は、一方がフックで他方がアイボルトの組合せであることを特徴とする請求項２記載のエレベータ。
【請求項５】
前記係止手段は、前記上部整風カプセルおよび前記下部整風カプセルに収納自在に設けられ、かつ、前記ガイドレールに結合自在な固定手段により形成されていることを特徴とする請求項１記載のエレベータ。
【請求項６】
前記係止手段は、前記昇降路のピットに設けられ弾性的に前記整風カプセルを支持するバッファスタンドであることを特徴とする請求項１記載のエレベータ。
【発明の詳細な説明】
【０００１】
【発明の属する技術分野】
本発明は、整風カプセルが取り付けられたエレベータに関する。
【０００２】
【従来の技術】
ビルの高層化に伴ない、そこに設置されるエレベータも、長い昇降路を高速で昇降することが要求されている。その際、かごの昇降に伴って発生する空気流の乱れによって圧力変動が起る。この圧力変動が風音となってかご内に伝わり、騒音として乗客に不快感を与えている。そのため、空気流の乱れを防止して、騒音を低減するために、かごの上部及び下部に整風装置を設けられるようになっている。
【０００３】
その一例を、図７を用いて簡単に説明する。図７に示したエレベータは、つるべ式といわれるエレベータであり、メインロープ７１の一端にかご７２を取付け、その他端には図示しない釣合い錘が取り付けられている。かご７２と釣合い錘は、それぞれ相対的に昇降するように構成している。
【０００４】
かご７２は主に利用客の乗るかご室７３と、このかご室７３を支持し、メインロープ７１に連絡されたかご枠７４とから構成されている。また、かご室７３の周囲に設置される装置品の保守・点検・調整作業は、かご室７３の天井７５に作業員が乗って行うので、天井７５の面から所定の高さに安全柵７６が取付けられている。このように構成されたかご室７２の上部および下部には、それぞれの整風装置として整風カプセル７７が設けられている。
【０００５】
この整風カプセル７７は、エレベータの保守・調整・改修作業の際には、通常取り外される。この取り外しの際は、整風カプセルを分解して、かごの上もしくはエレベータ乗り場に一時的に仮置きしている。
【０００６】
【発明が解決しようとする課題】
上述のように、エレベータの据付時や保守点検の際に、かご上部に設けられた案内装置、位置検出装置等の点検、保守作業、かご下部に設けられた防振ゴムの調整及び取替作業、かごのバランスを取るためのバランス調整作業を行う場合、その都度に整風カプセルを取外さなければならず、この取り外しは整風カプセルを分解しておこなうために、分解と、調整作業の終了後の組立に、それぞれ作業時間を必要とし、全体の作業時間が長くかかる。それにより、作業コストがかさむと共に、作業時のエレベータの運行停止によりエレベータ利用者へのサービスも低下するという問題がある。
【０００７】
また、保守・調整・改修作業の際に、かごの室の上に分解した整風カプセルを仮置きすると、作業性が悪くなる。一方、整風カプセルをエレベータ乗り場に仮置きした場合は、建物の利用者の通行の妨げとなる問題が発生したり、乗り場を汚さぬように養生する必要もあり、それらに対する対応処置が必要になる。
【０００８】
本発明はこれらの事情にもとづいてなされたもので、整風カプセルが取り付けられたエレベータで、保守、調整、改修作業の際に、それらの作業性を向上させ、かつ、作業の際の周囲への障害の無いエレベータを提供することを目的としている。
【０００９】
【課題を解決するための手段】
本発明によれば、ガイドレールに案内されて昇降路内を昇降するかごと、このかごの上部に該かごの上部全体を覆うように設けられている上部整風カプセルと、前記かごの下部に該かごの下部全体を覆うように設けられている下部整風カプセルと、前記上部整風カプセルおよび下部整風カプセルを前記かごから分離した際に昇降路の内部に係止する係止手段とを有することを特徴とするエレベータである。
【００１０】
また本発明によれば、前記係止手段は、前記昇降路の天井から吊り下げられた先端に第１の係止部が形成されたメインロープと、前記上部整風カプセルに設けられ前記第１の係止部に着脱自在に係止する第２の係止部が相互に係止することにより形成されていることを特徴とするエレベータである。
【００１１】
また本発明によれば、前記第２の係止部は、該第２の係止部を固定している固定部に対して可倒式に形成されていることを特徴とするエレベータである。
【００１２】
また本発明によれば、前記第１の係止部および前記第２の係止部は、一方がフックで他方がアイボルトの組合せであることを特徴とするエレベータである。
【００１３】
また本発明によれば、前記係止手段は、前記上部整風カプセルおよび前記下部整風カプセルに収納自在に設けられ、かつ、前記ガイドレールに結合自在な固定手段により形成されていることを特徴とするエレベータである。
【００１４】
また本発明によれば、前記係止手段は、前記昇降路のピットに設けられ弾性的に前記整風カプセルを支持するバッファスタンドであることを特徴とするエレベータである。
【００１５】
【発明の実施の形態】
以下、本発明の実施の形態を図面を参照して説明する。
【００１６】
まず、図１および図２に示したエレベータの構成概略図を用いて整風装置が取り付けられたエレベータの概要について本発明の第１の実施の形態を説明する。
【００１７】
機械室設置タイプのエレベータは、昇降路１の上部に機械室２が形成され、この機械室２内にエレベータの駆動源である巻上機３が設置されている。そして、巻上機３のシーブ４にメインロープ５が掛けられ、メインロープ５の一端にはかご６のかご枠６ａが、他端には釣合い錘７がそれぞれ取り付けられ、これらのかご６と釣合い錘７とが平衡している。このような平衡状態のもとで巻上機３の駆動により、かご枠６ａおよび釣合い錘７がそれぞれガイトレール８に沿って上下に昇降する。
【００１８】
また、かご６及び釣合い錘７が昇降路１の内部を昇降する隙に生じるアンバランスを補正する目的で、線状接続部材としてのコンぺンロープ１１の一端をかご６の下部に取付けるとともに、他端を釣合い錘７の下部に取付けている。さらに、かご６と昇降路１の壁面に設けた接続箱１２とをテールコード１３で接続して安全装置を構成している。
【００１９】
また、建物の高層化に伴いエレべータも高層化、高速化の傾向が強くなってきているため、かご６が昇降路１の内部を昇降する際に風切り音がかなり問題になってきているので、その対策として、図１にも示すように、整風効果を得ることを目的として人や荷物の乗るかご室６ａの上下に、かご室６ａを覆うように上部整風カプセル１４と下部整風カプセル１５が設けられている。両整風カプセル１４、１５の内部には、コンぺンロープ１１、テールコード１３、かご位置を検出するためのセレクタテープ（不図示）の取付け部分等が収納されている。
【００２０】
図１に斜視図を示すように、この両整風カプセル１４、１５は構造的には、かご室６ａが延在した延在部１７に後述するボルトとナットによる締結により固定されて取り付けられている。従って、整風カプセル１４、１５は固定しているボルトを外すことにより、延在部１７から離脱させることができる。両整風カプセル１４、１５の形状は昇降の際に先端となる外表面が流線形に形成されており、また、作業の際に作業者が両整風カプセル１４、１５の内部に出入りするための扉１８、１９が設けられている。
【００２１】
なお、上下部整風カプセル１４、１５には、図１に示したように、メインロープ５やコンぺンロープ１１を通すための挿入孔（不図示）が設けられており、この挿入孔は、通常運転時の風圧や振動、地震などにより各ロープ５、１１が揺らされたときに接触音などが出ないように、コ各ロープ５、１１と各整風カプセル１４、１５とを相互に離して隙間を取るように大きく形成されている。
【００２２】
上述のように、両整風カプセル１４、１５は、エレベータの据付時や保守点検の際に、かご室６ａの上下部分に設けられた各案内装置や位置検出装置等の点検、保守作業の際に取り外す必要があり、かつ、取り外した際に点検、保守作業の邪魔にならないことや、建物の利用者の通行の妨げにならないことが要求されている。以下にそれらを配慮した両整風カプセル１４、１５の係止手段を説明する。
【００２３】
図３（ａ）は、かご室６ａに両整風カプセル１４、１５が取り付けられた状態を示す斜視図で、図３（ｂ）は上部整風カプセル１４が取り外された状態示す斜視図である。
【００２４】
図３（ａ）に示すように、エレベータが通常の状態では、かご室６ａの上部には上部整風カプセル１４が、また、かご室６ａの下部には下部整風カプセル１５が、それぞれかご室６ａから延在した延在部１７にボルト２３とナット２４で締結されて固定されている。
【００２５】
一方、図３（ｂ）に示すように、エレベータを点検修理する際には、上部整風カプセル１４を延在部１７から分離する。この分離は、上部整風カプセル１４が接合された状態で、まず、図４（ａ）に要部の側面図を示したように、上部整風カプセル１４の外面に設けられている、支点２０を回転軸として倒立式のアイボルト２１（係止部）を立上げ状態にする。その状態で、昇降路１の天井２ａ（図１）から吊り下げられた吊り下げロープ２９の先端に設けられている鉤状のフック２２（係止部）に係合させて係止手段を形成している。
【００２６】
次に、上部整風カプセル１４の扉１８から作業者が上部整風カプセル１４の内部に入り、固定しているボルト２３とナット２４と緩めて開放する。次に、吊り下げロープ２９の先端フック２２がアイボルト２１に係合した状態で、かご室６ａを下降させると、上部整風カプセル１４は吊り下げロープ２９に吊り下げられた位置の状態のままで停止し、かご室６ａのみが下降して、かご室６ａと上部整風カプセル１４とが分離する。作業者は、その状態でかご室６ａの上部に収納されている各部を点検、修理することができる。なお、吊り下げロープ２９の長さは、かご室６ａが最上階から点検運転にて上昇した位置での可倒式のアイボルト２１に届く長さに設定されている。
【００２７】
なお、上述の場合、吊り下げ用のアイボルト２１を上部整風カプセル１４の外面に設けたが、図４（ｂ）および図４（ｃ）に要部の側面図を示したように、上部整風カプセル１４の内部に設けることもできる。図４（ｂ）に示した場合は、上部整風カプセル１４の梁２５に可倒式のアイボルト２１を設けている。また、図４（ｃ）に示した場合は、上部整風カプセル１４の壁部２６に設けたもので、この場合は、アイボルト２１の上方への移動を規制するストッパ２７と、倒立時の固定用の弾性キャッチ２８を設けている。
【００２８】
なお、上述の場合、吊り下げロープ２９の側をフック２２にして、上部整風カプセル１４の側をアイボルト２１にしたが、逆の組合せにしてもよく、また、アイボルト２１の代わりにはずれ止めのついたフック２２を用いることもできる。
【００２９】
一方、下部整風カプセル１５については、修理のためにエレベータを最下階より所定距離を降下させて、図５に示したように、下部整風カプセル１５をピットに設けられているバッファスタンド３１（係止手段）の受け部３２に組み合わされて仮固定する。なお、バッファスタンド３１は、下部整風カプセル１５の外形に対応した形状の受け部３２が、ばね３３により昇降方向に弾性的に支持されている。
【００３０】
次に、作業者が固定しているボルト２３とナット２４とを開放する。その状態で、かご室６ａを上昇させると下部整風カプセル１５はバッファスタンド３１の受け部３２に組合わさったまま仮固定された状態で停止している。それにより、かご室６ａと下部整風カプセル１５が分離する。その状態で、作業者は所定の点検、修理作業をおこなうことができる。
【００３１】
上述に説明したように、この実施の形態によれば、かご室６ａの上部整風カプセル１４を取り外す際に、上部整風カプセル１４を完全に分解しなくても、かご室６ａから脱着することが可能である。また、上部整風カプセル１４の脱着の動作をかご室６ａの運転により行うことができるので作業性も向上する。
【００３２】
また、取り外した上部整風カプセル１４は、昇降路１の内部の端部もしくは任意の位置に、吊り下げロープ２９で吊り下げて仮固定するため、かご室６ａの点検運転の障害になること無く、仮置きの場所を必要としない。
【００３３】
また、可倒式アイボルト２１の採用により、上部整風カプセル１４の外側に取り付けた場合でも、エレベータの昇降時には倒立させて上部整風カプセル１４の外形と略一体になるので、整風性能を損なうことが無い構造となっている。
【００３４】
また、取り外した下部整風カプセル１５は、昇降路１の内部のピットの位置に、バッファスタンド３１により仮固定するため、かご室６ａの点検運転の障害になることがなく、また、仮置きの場所を設ける必要がない。
【００３５】
次に、本発明の第２の実施の形態を説明する。ただし、上述の第１の実施と同一部分ついては、同実施のとの説明が重複するので省略する。
【００３６】
図６（ａ）は、かご室６ａに両整風カプセル１４、１５が取り付けられた状態を示す斜視図で、図６（ｂ）は上部整風カプセル１４が取り外された状態示す斜視図である。
【００３７】
図６（ａ）に示すように、エレベータが通常の状態では、かご室６ａの上部には上部整風カプセル１４が、また、かご室６ａの下部には下部整風カプセル１５が、図４を参照して示すように、それぞれかご室６ａから延在した延在部１７にボルト２３とナット２４で締結されて固定されている。
【００３８】
一方、図６（ｂ）に示すように、エレベータを点検修理する際には、上部整風カプセル１４を延在部１７から分離する。この分離は、上部整風カプセル１４が接合された状態で、まず、図６（ａ）に側面図を示したように、エレベータを停止して、固定用ブラケット３５（係止手段）を左右のガイドレール８に結合する。
【００３９】
なお、固定用ブラケット３５については両整風カプセル１４、１５に回転自在に設けられているアーム（不図示）の先端にガイドレール８へ着脱自在な係合部が設けられている構造であれば、どのようなものでも用いることができる。
【００４０】
次に、固定用ブラケット３５を左右のガイドレール８に結合した状態で、かご室６ａと上下整風装置１４、１５とを固定しているボルト２３とナット２４とを開放する。その後、かご室６ａを所定方向に昇降させれば、かご室６ａと上下整風装置１４、１５とを分離することができる。その状態で、作業者は所定の点検、修理作業をおこなうことができる。
【００４１】
この実施の形態によれば、上下整風装置１４、１５のガイドレール８への固定に、昇降時には上下整風装置１４、１５の内部に収納できる固定用ブラケット３５を用いたことにより、エレベータが昇降の際の整風性能を損なうことがない。
【００４２】
以上に説明したように、本発明によれば、かごの上部や下部に整風カプセルが取り付けられたエレベータに対しての、保守・調整・改修作業の際に、整風カプセルを分解すること無く脱着が可能で、かつ取り外した整風カプセルを昇降路の内部に仮置きすることができる。
【００４３】
したがって、整風カプセルの分解・組立にかかる作業時間が短縮され、作業コストが低減し、またエレベータの作業時間の停止時間が短くなることで、エレベータを利用する人への負担も少なくすることができる。
【００４４】
また、取り外した整風カプセルを、かごの上や乗り場に仮置きする必要がなくなり、作業効率の向上や、建物の利用者への障害を少なくすることが可能になる。
【００４５】
【発明の効果】
本発明によれば、保守、調整、改修作業の際に、それらの作業性を向上させ、かつ、作業の際の周囲への障害の無い整風カプセルが取り付けられたエレベータを実現できる。
【図面の簡単な説明】
【図１】エレベータの構成概略図。
【図２】エレベータの構成概略図。
【図３】（ａ）および（ｂ）は、本発明の第１の実施の形態の説明図。
【図４】（ａ）〜（ｃ）は、本発明の第１の実施の形態の説明図。
【図５】本発明の第１の実施の形態の説明図。
【図６】（ａ）および（ｂ）は、本発明の第２の実施の形態の説明図。
【図７】従来のエレベータの説明図。
【符号の説明】
１…昇降路、５…メインロープ、６…かご枠、６ａ…かご、８…ガイドレール、１７…延在部、２１…アイボルト、２２…フック、１８…バッファスタンド、２９…吊り下げロープ、３５…固定用ブラケット
【図１】
2004067292.tif 000003
【図２】
2004067292.tif 000004
【図３】
2004067292.tif 000005
【図４】
2004067292.tif 000006
【図５】
2004067292.tif 000007
【図６】
2004067292.tif 000008
【図７】
2004067292.tif 000009